(57)【要約】【課題】開閉のための無効スペースが少なく食品の出し入れを容易できるドア開閉機構を有した冷蔵庫を提供する。【解決手段】下部を中心にして回転する多目的室ドア２７の動作と連動して多目的室２２内から前方に引出される収納ケース３６を有し、収納ケース３６は多目的室２２の両側壁に設けたレール２２ａ，２２ｂに支持されて前後方向に移動することで、収納ケース３６の移動のために多目的室２２内の有効空間を無駄にせず、多目的室ドア２７の開放時に収納ケース３６の前方への移動距離が大きくとれ、多目的室２２内を覗き込まなくても食品を容易に出し入れできる。【選択図】　図３
2004101029.tif 000002
【特許請求の範囲】
【請求項１】
下部を中心にして回転するドアと、前記ドアの動作と連動して貯蔵室内から前方に引出される収納ケースとを備えた冷蔵庫において、前記収納ケースは前記貯蔵室の両側壁に設けたレールに支持されて前後方向に移動する冷蔵庫。
【請求項２】
ドアの内板と、収納ケースの側壁を連結し回動自在に支持された作動レバーと、収納ケースの両側壁に形成された突部を備え、前記ドアの開放時、前記収納ケースは前記作動レバーと連動しながら前記突部が貯蔵室の両側壁に設けたレールの溝内を摺動することにより前方へ移動する請求項１に記載の冷蔵庫。
【請求項３】
貯蔵室の両側壁に設けたレールは奥側で緩やかに傾斜している請求項２に記載の冷蔵庫。
【請求項４】
ドアを閉じた状態において、収納ケースの突部はレール溝に支持されず、収納ケースは貯蔵室の底面に載置した状態である請求項３に記載の冷蔵庫。
【請求項５】
収納ケースは前面と上面を開放して形成され、ドアを完全に開いた時、前方に移動した収納ケースの底面はドアの内板面上に配置される請求項１または請求項２に記載の冷蔵庫。
【請求項６】
収納ケースは、底部が開口した樹脂性の枠体と金属性の底板で形成されている請求項１または請求項２または請求項４のいずれか一項に記載の冷蔵庫。
【請求項７】
金属性の底板は収納ケースから着脱可能とした請求項６に記載の冷蔵庫。
【請求項８】
貯蔵室の下面に直冷式の冷却器が配置される請求項６または請求項７に記載の冷蔵庫。
【請求項９】
貯蔵室のドア下端部の高さを床面から６５０ｍｍ以上８５０ｍｍ以下の範囲に設定した請求項１または請求項２に記載の冷蔵庫。
【請求項１０】
冷蔵庫本体上部の冷蔵室と、冷蔵庫本体下部の冷凍室と、前記冷蔵室と前記冷凍室との間に配置した冷却と加温が行える多目的室と、前記多目的室の前面に設けた下部を中心にして回転するドアと、前記ドアの動作と連動して貯蔵室内から前方に引出される収納ケースとを備えた冷蔵庫において、前記多目的室のドアの下端部の高さを床面から６５０ｍｍ以上８５０ｍｍ以下の範囲に設定した冷蔵庫。
【発明の詳細な説明】
【０００１】
【発明の属する技術分野】
本発明は食品を容易に搬入、搬出するのに適する構成を有するドア開閉装置を備えた冷蔵庫に関するものである。
【０００２】
【従来の技術】
近年、各種の食品をそれぞれ適した温度帯に貯蔵するため多ドアの冷蔵庫が主流となりつつある。各貯蔵室に対応して開口部にドアをそれぞれ備えており、また多様な種類の食品を分離して貯蔵しているため、特定食品の保存に対して貯蔵するドアの開閉機構やその使い勝手を改善したドア開閉機構が提案されている。
【０００３】
従来の冷蔵庫として特開平６−２０１２５５号公報に示されているものがある。
【０００４】
以下、図面を参照しながら上記従来の冷蔵庫を説明する。
【０００５】
図６は従来の冷蔵庫の縦断面図である。図７はドア開閉装置の側面図である。
図６において、上部より冷凍室１、冷蔵室２、貯蔵室３、さらに下部には野菜室４が構成されている。冷凍室１と冷蔵室２の前方には左右方向に回転するドア１Ａ、２Ａが設置され貯蔵室３の前方には下部を中心として上下に回転するドア３Ａが設置されている。
【０００６】
また図７でドア開閉装置は大きくは案内部材５、作動レバー６、移動部材７、棚８で構成されている。
【０００７】
以上のように構成された冷蔵庫について、以下動作を説明する。
【０００８】
まずドア３Ａを下向けに引けば、ヒンジ９を中心として、ドア３Ａが下方向に回転しながら作動レバー６が前方に引張られる。これに従って作動レバー６が案内ホール１０に沿って前方に移動しながら、移動部材７の前方に移動させる。
【０００９】
同時にドア３Ａの底面に位置したヒンジ９により、ドア３Ａと連結された移動部材７の第１部材も共に移動しながらドア３Ａを開閉するようになる。
【００１０】
そしてドア３Ａが開放されるに従って、作動レバー６が前方に引張られて、係止突起１２がストッパ１３により制限されればドア３Ａは９０度回転して、図７のように開放が完了する。
【００１１】
また棚８は移動部材７と連結され、連動して動くように構成されている。従ってドア３Ａの開閉動作に従って移動部材７が前進又は後退すれば、係止片１４が棚８を一定方向に移動させる。また棚８下面のローラ１５等が回転してドア３Ａの内壁と同一の水平面を成しているので簡単に前方に誘導される。
【００１２】
【特許文献１】
特開平６−２０１２５５号公報
【００１３】
【発明が解決しようとする課題】
しかしながら、上記従来の構成では、ドアの開閉動作と棚の引出し動作は連動して引出されるが、棚の動作機構は棚の下部に備えたヒンジの移動部材と連動しているので、貯蔵室の下部空間に機構部が配置されるため高さ方向の収納空間が低下するという欠点があった。
【００１４】
また下部貯蔵室と上下に仕切る仕切り壁内に、一部仕切り壁を削って埋設されるため、上下貯蔵室間の断熱性能を低減させるという欠点があった。
【００１５】
また下部に備えた野菜室の上部にこのドア機構を備えた貯蔵室を配置するので、このドアの開閉動作のために腰をかがめて行わなければならず、使い勝手に欠点があった。
【００１６】
本発明は従来の課題を解決するもので、下部を中心として開閉するドアに連動して出入する収納ケースを備えた貯蔵室にあって、貯蔵室内の無効空間を減らし、かつ使い勝手を改善することを目的としている。
【００１７】
【課題を解決するための手段】
本発明の請求項１に記載の発明は、下部を中心にして回転するドアと、前記ドアの動作と連動して貯蔵室内から前方に引出される収納ケースとを備えた冷蔵庫において、前記収納ケースは前記貯蔵室の両側壁に設けたレールに支持されて前後方向に移動するものであり、収納ケース移動のために貯蔵室の有効空間を無駄に費やすことがない。また、ドアの開放時に収納ケースの前方への移動距離が大きくとれ、奥行き方向の概ね半ばまでが戸外側に出てくるので、使用者が貯蔵室内を覗き込まなくても食品を容易に出し入れできる、という作用を有する。
【００１８】
請求項２に記載の発明は、請求項１に記載の発明において、ドアの内板と、収納ケースの側壁を連結し回動自在に支持された作動レバーと、収納ケースの両側壁に形成された突部を備え、前記ドアの開放時、前記収納ケースは前記作動レバーと連動しながら前記突部が貯蔵室の両側壁に設けたレールの溝内を摺動することにより前方へ移動するものであり、前後移動する収納ケースは貯蔵室の側壁レールと係合しながら動作するのでスムーズに安定した動作をさせることができる。
【００１９】
請求項３に記載の発明は、請求項２に記載の発明において、貯蔵室の両側壁に設けたレールは奥側で緩やかに傾斜しているものであり、使用者にドアを閉じた時の節度感を持たせることができる。
【００２０】
請求項４に記載の発明は、請求項３に記載の発明において、ドアを閉じた状態において、収納ケースの突部はレール溝に支持されず、収納ケースは貯蔵室の底面に載置した状態であるものであり、収納物の荷重を貯蔵室の底面で受けるために収納ケースやレールに局部荷重が長期間掛からない。また、貯蔵室底面からの冷却や加熱を促進する仕様に対しては接触することで熱伝導の効率が高められる。
【００２１】
請求項５に記載の発明は、請求項１または請求項２に記載の発明において、収納ケースは前面と上面を開放して形成され、ドアを完全に開いた時、前方に移動した収納ケースの底面はドアの内板面上に配置されるものであり、ドアを開けた後、ドア内板面上で収納物を一旦置くことができ、収納性を補助することができる。
【００２２】
請求項６に記載の発明は、請求項１または請求項２または請求項４のいずれか一項に記載の発明において、収納ケースは、底部が開口した樹脂性の枠体と金属性の底板で形成されているものであり、収納ケース底面の温度の均温化が図れ、接触して載置される収納物の温度分布を改善する補助手段となる。
【００２３】
請求項７に記載の発明は、請求項６に記載の発明において、金属性の底板は収納ケースから着脱可能としたものであり、金属性の底板のみ引き出したり、取り外して清掃や異物の除去などのメンテナンスが容易にできるものである。
【００２４】
請求項８に記載の発明は、請求項６または請求項７に記載の発明に、さらに、貯蔵室の下面に直冷式の冷却器が配置されるものであり、金属性の底板への冷却器からの熱伝導により冷却が促進され、載置した収納物の急速な冷却が可能となる。
【００２５】
請求項９に記載の発明は、請求項１または請求項２に記載の発明において、貯蔵室のドア下端部の高さを床面から６５０ｍｍ以上８５０ｍｍ以下の範囲に設定したものであり、腰を屈めず立ち姿勢のまま楽な姿勢で食品の出し入れを行うことができる。
【００２６】
請求項１０に記載の発明は、冷蔵庫本体上部の冷蔵室と、冷蔵庫本体下部の冷凍室と、前記冷蔵室と前記冷凍室との間に配置した冷却と加温が行える多目的室と、前記多目的室の前面に設けた下部を中心にして回転するドアと、前記ドアの動作と連動して貯蔵室内から前方に引出される収納ケースとを備えた冷蔵庫において、前記多目的室のドアの下端部の高さを床面から６５０ｍｍ以上８５０ｍｍ以下の範囲に設定したものであり、使用頻度が高く、調理の下準備中の食材を入れることも多い多目的室の収納動作を、腰を屈めず立ち姿勢のまま楽な姿勢で行うことができる。
【００２７】
【発明の実施の形態】
以下、本発明による冷蔵庫の実施の形態について、図面を参照しながら説明する。
【００２８】
（実施の形態１）
本発明による実施の形態１について、図面を参照しながら説明する。
【００２９】
図１は、本発明の実施の形態１の冷蔵庫の外観図である。図２は、同実施の形態による冷蔵庫の断面図である。図３は、同同実施の形態による冷蔵庫のドア開時の要部断面図である。図４は、同同実施の形態による冷蔵庫のドア閉時の要部断面図である。図５は、同同実施の形態による冷蔵庫のドア開時の要部斜視図である。
【００３０】
図１において、冷蔵庫２０は上部より冷蔵室２１、たとえば冷凍から冷蔵温度までを切り換えられる多目的室２２、多目的室２２と並んで製氷室２３（図示しない）を備え、野菜室２４そして下部には冷凍室２５が配置されている。
【００３１】
冷蔵室２１の開口部には左右方向に回転するヒンジ式の冷蔵室ドア２６が備えられ、多目的室２２、製氷室２３の開口部は下部を中心として上下方向に回転するヒンジ式の多目的室ドア２７、製氷室ドア２８が備えられている。
【００３２】
野菜室２４、冷凍室２５の前面開口部には引出し式の野菜室ドア２９、冷凍室ドア３０が備えられている。また各貯蔵室を仕切る仕切り壁には断熱材が形成されており、特に多目的室２２と野菜室２４を仕切る仕切り壁３１上部には冷媒配管３２ａを裏面に配設した直冷式の冷却プレート３２が配置されている。
【００３３】
また冷蔵室２１の後方には冷蔵室用冷却器３３が配置され、冷蔵室２１を冷却する。また冷凍室２５の後方には冷凍室用冷却器３４が配置され、多目的室２２、製氷室２３、野菜室２４の後方に循環通路３５を配置して、多目的室２２、製氷室２３内に冷気を導く。
【００３４】
また冷蔵庫２０の床面から上端部までの高さをＨ、多目的室２２の多目的室ドア２７の上端部までの高さをＨ１に設定している。実施の形態１ではＨを１７９８ｍｍ、Ｈ１を１００５ｍｍに設定している。また多目的室ドア２７の下端部までの高さＨ２は８３０ｍｍに設定している。また実施の形態１では横幅Ｗを６８５ｍｍ、奥行きＤを６７０ｍｍに設定している。
【００３５】
図３は、多目的室ドア２７が開けられた状態の側面図であり、多目的室ドア２７の内板２７ａと多目的室２７内の収納ケース３６は作動レバー３７で連結されている。収納ケース３６の両側部には第１突部３６ａと第２突部３６ｂが取付けられ、第１突部３６ａが係合する第１レール２２ａと第２突部３６ｂが係合する第２レール２２ｂは多目的室２２の両側部に取付けられている。
【００３６】
第１レール２２ａと第２レール２２ｂは多目的室２２の奥部後方付近からゆるやかに下方に傾斜構造を形成している。また第１レール２２ａの前端部は略Ｌ字型に形成された係止突起３８を形成している。また多目的室ドア２７の全周にはガスケット３９が取付けられ、ドアを閉じた時に開口部をシールする。
【００３７】
以上のような構成において、以下動作の説明をすると、
多目的室ドア２７を閉じて行くと作動レバー３７に押されて収納ケース３６が多目的室２２内に収納されていく。この時、収納ケース３６は第１突部３６ａと第２突部３６ｂがそれぞれ第１レール２２ａ、第２レール２２ｂのレール溝を摺動し、ドア２７が完全に閉じられる寸前から徐々に第１レール２２ａと第２レール２２ｂは下方向に傾斜する構造であるため、収納ケース３６の第１突部３６ａと第２突部３６ｂはドア２７が閉じた状態でそれぞれ第１レール２２ａと第２レール２２ｂの最終点に位置し、第１，２の突部３６ａ、３６ｂはそれぞれレールには支持されない状態に保持されている。
【００３８】
すなわち第１、第２レール２２ａ、２２ｂが下方向に傾斜しているため、収納ケース３６の底面から第１、第２突部３６ａ、３６ｂまでの高さ寸法が多目的室２２の底面からレール溝までの高さ寸法より高くなるよう構成されているためである。
【００３９】
このような構成によって収納ケース３６は貯蔵室内部では多目的室２２の底面上に載置され、保持されている。
【００４０】
ドア２７を閉じた状態で収納ケース３６が収納ケース３６の底部が多目的室２２の底面に接触して配置されている
また多目的室ドア２７の開動作においては収納ケース３６は作動レバー３７によって前方に引張られ徐々に第１突部３６ａ、第２突部３６ｂが第１レール２２ａ、第２レール２２ｂに支持されて前方に摺動しながら移動していく。
【００４１】
そして多目的室ドア２７の下方に取付けたヒンジ４０を中心にドア２７がほぼ９０℃回転すれば収納ケース３６の奥行き寸法のほぼ半分が多目的室２２の開口部から飛出した状態に保持される。この時、第１突部３６ａは第１レール２２ａの係止突起３８によって規制され、収納ケース３６の脱落を防止することができる。
【００４２】
また、冷蔵庫の使用頻度の高い女性に関して、日本人の標準的な身長の女性（身長１５５ｃｍ）が立ち姿勢での作業性を考慮した場合、手の届く下側の範囲は高さが６３０ｍｍである。一方、台所にあって冷蔵庫２０に隣接されることの多い流台は、テーブルまでの高さが８５０ｍｍ程度である。
【００４３】
このような条件において、立ち姿勢のままで腰を屈めることなく調理の下準備中の食品などを流し台から冷蔵庫の多目的室２２まで一連のスムーズな動作で移動させようとすれば、多目的室ドア２７の下端面の床面からの高さは、概ね６５０ｍｍ以上で、８５０ｍｍ以下であれば適当である。
【００４４】
また、日本人の標準的な身長の女性（身長１５５ｃｍ）の肘の高さは９７０ｍｍである。この高さより上方にあると腕を上げて作業をすることになり、徐々に操作に負担が掛かる。
【００４５】
したがって、本実施の形態のように上部を持って下側へ開放するタイプのドアの場合はドアの操作部の床面からの高さをあまり高く設定すると、腕への負担が増加するので、多目的室ドア２７の上端部の床面からの高さを概ね９００ｍｍ以上で、１１００ｍｍ以下とすれば、通常、スリッパなどの履物をはくことを考慮したり、ハンドルなどの操作部までの高さはドア上端面よりやや下部になることなどを考慮すれば、実質的に肘の高さより上に腕を上げることなく、腕にほとんど負担がかからず開閉操作することができる。
【００４６】
また多目的室２２の下面に冷却プレート３２が配置され、冷媒配管３２ａを仕切り壁３１側に配置して形成している。そして収納される食品に急速な冷却を必要とされる場合など、熱伝導性を良くするために収納ケース３６の底面を形成する金属性の底板４１（例えばアルミトレイやステンレストレイなど）を配置してもよい。
【００４７】
そして収納ケース３６の底面は金属性の底板４１で、底面部を開口し第１，第２突部３６ａ、３６ｂが取付けられた側面および背面は樹脂性の枠体４２で形成されている。
【００４８】
このような構成によれば、多目的室２２のドアを閉じた状態において、冷却プレート３２の表面に収納ケース３６の底面の金属性の底板４１が載置されるので温度が高い状態の調理品などを保存する時に急速に冷却することができるので、鮮度を維持して保存状態を保つことができる。また缶物など急速に冷却することができ、使用者に適時に冷えた缶ビールや缶ジュース等を提供することができる。
【００４９】
また多目的室２２はヒータなどの加熱装置（図示しない）により、冷却された食品を金属性の底板４１（本実施の形態の場合はアルミトレイを使用）によって効率良く加温することもできる。加温機能を備えることによって、各種の冷温調理を行える調理室としても機能させることができ、使用者にとって利便性が高まる。
【００５０】
そして多目的室ドア２７を開放していく時に収納ケース３６は底面の冷却プレート３２から離れながら斜め上方へ移動していくので冷却プレート３２との密着状態を解除することができ、また冷却プレート３２の表面を傷つけることなくドア開閉動作を行うことができる。
【００５１】
また、図５において金属性の底板４１の両側部が枠体４２に載置して配置しているのでドア２７の開状態において、金属性の底板４１のみ前方に引出すことができる。この時、金属性の底板４１の前縁部４１ａは多目的室ドア２７の内板２７ａの前縁部２７ｂとほぼ同高さにあり、内板２７ａの面上に金属性の底板４１が配置されるので、スムーズに引出すことができ、また前縁部２７ｂが土台となって金属性の底板４１を安定して維持することができる。
【００５２】
またドア２７を開けた時、前縁部２７ｂに収納する食品を置くスペースがあるので、一旦食品を置いて、整理しながら収納することができる。また前面が開口しているから、収納ケースに入れる時に持ち上げるという動作がほとんどいらないので、出し入れをスムーズに行える。
【００５３】
金属性の底板４１の前縁部４１ａは手で触れる所であるため樹脂性のトレイカバー４１ｂで覆うと直接触れないので冷たく感じるのを低減し操作性を向上することができる。
【００５４】
また本実施の形態では収納ケース３６が前後移動するのに収納ケース３６に一体に形成した突部を摺動させていたが、別部品のローラ部材を配置して移動させてもよい。
【００５５】
また本実施の形態では多目的室２２についてのみ記載したが、隣に位置する製氷室ドア２８にも上記ドア機構を適用すれば外観意匠的にもバランスがとれて見栄えがよく使い勝手がよい。なお、製氷室２３は別の目的をもった貯蔵室でもよく、本実施の形態の多目的室２２を左右に複数並べて用途に応じて使い分けをしてもよい。
【００５６】
【発明の効果】
以上説明したように本発明の請求項１に記載の発明は、下部を中心にして回転するドアと、前記ドアの動作と連動して貯蔵室内から前方に引出される収納ケースとを備えた冷蔵庫において、前記収納ケースは前記貯蔵室の両側壁に設けたレールに支持されて前後方向に移動するので、貯蔵室内の有効スペースを侵害せず、食品を容易に出し入れできる。
【００５７】
また、請求項２に記載の発明は、請求項１に記載の発明において、ドアの内板と、収納ケースの側壁を連結し回動自在に支持された作動レバーと、収納ケースの両側壁に形成された突部を備え、前記ドアの開放時、前記収納ケースは前記作動レバーと連動しながら前記突部が貯蔵室の両側壁に設けたレールの溝内を摺動することにより前方へ移動するので、スムーズに安定して出入動作できる。
【００５８】
請求項３に記載の発明は、請求項２に記載の発明において、貯蔵室の両側壁に設けたレールは奥側で緩やかに傾斜しているので、使用者にドアを閉じた時の節度感を持たせることができる。
【００５９】
請求項４に記載の発明は、請求項３に記載の発明において、ドアを閉じた状態において、収納ケースの突部はレール溝に支持されず、収納ケースは貯蔵室の底面に載置した状態であるので、収納ケースやレールに局部荷重が長期間掛からない。また、貯蔵室底面からの冷却や加熱を促進する仕様に対して効率が高められる。
【００６０】
請求項５に記載の発明は、請求項１または請求項２に記載の発明において、収納ケースは前面と上面を開放して形成され、ドアを完全に開いた時、前方に移動した収納ケースの底面はドアの内板面上に配置されるので、ドアを開時、ドア内板面上で収納物を一旦置くことができ、収納性を補助することができる。
【００６１】
請求項６に記載の発明は、請求項１または請求項２または請求項４のいずれか一項に記載の発明において、収納ケースは、底部が開口した樹脂性の枠体と金属性の底板で形成されているので、収納ケース底面の温度の均温化が図れ、収納物の温度分布を改善する補助手段となる。
【００６２】
請求項７に記載の発明は、請求項６に記載の発明において、金属性の底板は収納ケースから着脱可能としたので、金属性の底板のみ引き出したり、取り外して清掃や異物の除去などのメンテナンスが容易にできる。
【００６３】
請求項８に記載の発明は、請求項６または請求項７に記載の発明に、さらに、貯蔵室の下面に直冷式の冷却器が配置されるので、載置した収納物の急速冷却が可能となる。
【００６４】
請求項９に記載の発明は、請求項１または請求項２に記載の発明において、貯蔵室のドア下端部の高さを床面から６５０ｍｍ以上８５０ｍｍ以下の範囲に設定したので、腰を屈めず立ち姿勢のまま楽な姿勢で食品の出し入れを行うことができる。
【００６５】
請求項１０に記載の発明は、冷蔵庫本体上部の冷蔵室と、冷蔵庫本体下部の冷凍室と、前記冷蔵室と前記冷凍室との間に配置した冷却と加温が行える多目的室と、前記多目的室の前面に設けた下部を中心にして回転するドアと、前記ドアの動作と連動して貯蔵室内から前方に引出される収納ケースとを備えた冷蔵庫において、前記多目的室のドアの下端部の高さを床面から６５０ｍｍ以上８５０ｍｍ以下の範囲に設定したので、調理の下準備中の食材を入れることも多い多目的室の収納動作を、腰を屈めず立ち姿勢のまま楽な姿勢で行うことができる。
【図面の簡単な説明】
【図１】本発明の実施の形態１による冷蔵庫の斜視図
【図２】同実施の形態の冷蔵庫の縦断面図
【図３】同実施の形態の冷蔵庫のドア開状態の要部断面図
【図４】同実施の形態の冷蔵庫のドア閉状態の要部断面図
【図５】同実施の形態の冷蔵庫のドア開状態の要部斜視図
【図６】従来の冷蔵庫の縦断面図
【図７】従来の冷蔵庫の要部側面図
【符号の説明】
２０　冷蔵庫
２２　多目的室
２２ａ　第１レール
２２ｂ　第２レール
２７　多目的ドア
２７ａ　内板
３２　冷却プレート（直冷式の冷却器）
３６　収納ケース
３６ａ　第１突部
３６ｂ　第２突部
３７　作動レバー
４０　ヒンジ
４１　金属製の底板
４２　枠体
【図１】
2004101029.tif 000003
【図２】
2004101029.tif 000004
【図３】
2004101029.tif 000005
【図４】
2004101029.tif 000006
【図５】
2004101029.tif 000007
【図６】
2004101029.tif 000008
【図７】
2004101029.tif 000009